(57)【要約】      （修正有）【課題】和弓の練習をその矢束及び弓力が正式の弓での矢束・弓力となるようにでき、又ゆがけも使用できる高いレベルの弓の練習を可能とする弓の練習具を提供する。【解決手段】縦長の握り棒１の後面に係止紐２を取り付け、同係止紐２の中間に取付けたリングを介して非伸縮性の矢束設定紐３を脱着自在に取付け、又同矢束設定紐の先端を弦の輪６と固着されたリング６ａに脱着自在に取付け、このリングとリング６ａの間に弓力を発生させる中央弾性体４を脱着自在に取付け、更に握り棒１の前面の上下位置それぞれに取付けた掛止輪９ａに弓力を発生させる弾性弓紐５の一端を脱着自在に取付け、同弾性弓紐５の他端をリング６ａに脱着自在に取付けた。【選択図】図１１
0003189450.tif 000002
【実用新案登録請求の範囲】
【請求項１】
手で握ることができる長さを有する縦の短い握り棒を備え、同握り棒の握った手の親指の付け根が当る後面の握った手の上下位置から紐が離れ出るように握り棒に紐端が係止され且つ握った手の掌根を含む親指が離れ出た紐部分と握り棒の後面との間に余裕をもって挿入できるだけの紐長さを有する非伸縮性の係止紐を設け、握り棒から離れ出た係止紐部分の長さの中間位置に矢束長さを設定する所定長さの非伸縮性の矢束設定紐の一端を取り付け、同矢束設定紐の他端に弓の弦と同質の弦でもってゆがけ親指弦枕で弦を引掛けられる弦の輪を取り付け、更に上記係止紐の中間位置又は握り棒上下位置と弦の輪との間、もしくは係止紐中間位置及び握り棒上下位置と弦の輪との間に伸縮性ある弓力発生用弾性体を１本又は複数本取付けてなる、弓の練習具。
【請求項２】
矢束設定紐の両端それぞれが係止紐又は弦の輪に対し脱着自在に取付けられた、請求項１記載の弓の練習具。
【請求項３】
矢束設定紐の引張した状態の長さが調整できる引張長さ調整器と引きすぎ防止と伸び離れの目安を兼ねた吸着力が３〜４ｋｇあるマグネット又は面ファスナー等の吸着テープで構成した引きすぎ防止装置を矢束設定紐の中間に設けた、請求項１又は２記載の弓の練習具。
【請求項４】
弓力発生用弾性体として、握り棒後面から離れ出た係止紐部分の中間と弦の輪との間に取付けられた中央弾性体を有する、請求項１〜３いずれか記載の弓の練習具。
【請求項５】
中央弾性体の一端が係止紐部分の中間と脱着自在に取付けられ、しかも中央弾性体の他端も弦の輪と脱着自在に取付けたものである、請求項４記載の弓の練習具。
【請求項６】
弓力発生用弾性体として、握り棒の前面で且つ係止紐が離れ出る後面の上下位置より更に上下方向に離れた位置それぞれで一端が係止され、しかも他端が弦の輪に係止された上下一対の弾性弓紐を有する、請求項１〜４いずれか記載の弓の練習具。
【請求項７】
握り棒の前面の上下位置それぞれに線材のループ又は係止金具の係止部材を固着し、同係止部材に上下各弾性弓紐の一端を脱着自在に係止し、更に各弾性弓紐の他端を弦の輪と脱着自在に係止した、請求項６記載の弓の練習具。
【請求項８】
握り棒の親指の付け根が当る後面で係止紐の握り棒から離れ出た上方位置より更に高い上方位置に細長の鏡を設けた、請求項１〜７いずれか記載の弓の練習具。
【考案の詳細な説明】
【技術分野】
【０００１】
本考案は、日本の古武具の弓（和弓）を用いて、射法と射技が一体となった「正射」によって的中を競う競技の向上の為の射法・射技練習具に関する。
【背景技術】
【０００２】
現代の弓道において、筋力の準備運動兼射術向上用の弓の練習具が複数考案されている。
【０００３】
公知となっている特許文献１の射法練習用ゴム弓の考案は、握り棒の上下位置にゴム紐の両端を楔を用いて脱着自在に取り付けた構造のものである。この考案では、ゴム紐の長さ・弾性率を変えたものに簡単に交換でき、練習者に適した強さのゴム紐で弓力を調整できる。しかしながら、弓の射術では弓を使用する人の腕の長さによって、定まる矢束の長さで所定の弓力が要求されるものである。
従って、特許文献１の考案では矢束の長さ（位置）が正確に分らないので、矢束で所定の弓力にすることが難しく、矢束位置での弓力が正式に使用する弓のものとならず、正式に使用する弓の射術の再現の練習とならなかった。
又、この引用文献１の考案では、弓弦より径が大巾に大きいゴム紐となっている為、ゆがけの弦枕（親指の付け根に弦を引掛ける２ｍｍ程の溝）に引掛けて使用する事もできず、射る感覚が実際とは異なると判断される。
【０００４】
又、特許文献２の考案は握り棒に環状の板ゴムの一端を止着し、板ゴムの伸びによる弾性力で弓力を再現しようとするものであるが、これも特許文献１と同様に練習者の矢束長さが正確に分らないので、矢束長さ（位置）における弓力も正確に再現した練習ができず、矢束長さ、弓力の練習が正確にできないものである。
【０００５】
又、特許文献３の考案のゴム弓も、棒１の上下端に止着させたゴムを取り付けた構造であり、特許文献１と同様に正確な矢束とその矢束での所定の弓力の再現が難しいので、正確な射術の練習とはならない。更に、このものではゴムが太いのでゆがけの弦枕に引掛ける事もできず、正式の矢を射る感覚の再現が難しい。
【０００６】
特許文献４の考案の和弓の練習用具は、握り棒（１）の上方で水平に張り出した固定棒（２）にゴム（７）の一端を取り付け、その他端に輪状の握り紐を設けている構造であるが、これも矢束の長さ（位置）とその矢束での弓力の再現ができず、実際の弓の正確な再現が難しい。
【先行技術文献】
【特許文献】
【０００７】
【特許文献１】特開２００７−１５２０５０号公報
【特許文献２】特許第４２３５７４６号公報
【特許文献３】実用新案登録第３０７５０６５号公報
【特許文献４】特許第３７１９１２３号公報
【考案の概要】
【考案が解決しようとする課題】
【０００８】
本考案が解決しようとする課題は、上記先行技術の特許文献の問題点である練習者の矢束長さ（位置）が明確に理解でき、又その矢束での弓力も実際の弓の弓力の値のものにでき、練習者が矢束長さとそのときの弓力を再現できるものとすることにある。又、ゆがけも使用でき、高いレベルの弓の練習を可能にすることにある。
【０００９】
又、本願考案の他の課題は練習者の身体（体格、腕の長さ、背筋力、腕力）と使用する弓の特性に応じて、矢束と弓力を最適なものに容易に調整できるものとすることにある。
【００１０】
更に、上記課題に加えて弓道の射法である矢を的に正確に射るための弓の位置・腰・両足・脊柱の位置・姿勢と矢の位置と練習者の頭顔の向き・位置を正確にできる練習を可能にすることにある。
【課題を解決するための手段】
【００１１】
かかる課題を解決した本考案の構成は、
１）  手で握ることができる長さを有する縦の短い握り棒を備え、同握り棒の握った手の親指の付け根が当る後面の握った手の上下位置から紐が離れ出るように握り棒に紐端が係止され且つ握った手の掌根を含む親指が離れ出た紐部分と握り棒の後面との間に余裕をもって挿入できるだけの紐長さを有する非伸縮性の係止紐を設け、握り棒から離れ出た係止紐部分の長さの中間位置に矢束長さを設定する所定長さの非伸縮性の矢束設定紐の一端を取り付け、同矢束設定紐の他端に弓の弦と同質の弦でもってゆがけ親指弦枕で弦を引掛けられる弦の輪を取り付け、更に上記係止紐の中間位置又は握り棒上下位置と弦の輪との間、もしくは係止紐中間位置及び握り棒上下位置と弦の輪との間に伸縮性ある弓力発生用弾性体を１本又は複数本取付けてなる、弓の練習具
２）  矢束設定紐の両端それぞれが係止紐又は弦の輪に対し脱着自在に取付けられた、前記１）記載の弓の練習具
３）  矢束設定紐の引張した状態の長さが調整できる引張長さ調整器と引きすぎ防止と伸び離れの目安を兼ねた吸着力が３〜４ｋｇあるマグネット又は面ファスナー等の吸着テープで構成した引きすぎ防止装置を矢束設定紐の中間に設けた、前記１）又は２）記載の弓の練習具
４）  弓力発生用弾性体として、握り棒後面から離れ出た係止紐部分の中間と弦の輪との間に取付けられた中央弾性体を有する、前記１）〜３）いずれか記載の弓の練習具
５）  中央弾性体の一端が係止紐部分の中間と脱着自在に取付けられ、しかも中央弾性体の他端も弦の輪と脱着自在に取付けたものである、前記４）記載の弓の練習具
６）  弓力発生用弾性体として、握り棒の前面で且つ係止紐が離れ出る後面の上下位置より更に上下方向に離れた位置それぞれで一端が係止され、しかも他端が弦の輪に係止された上下一対の弾性弓紐を有する、前記１）〜４）いずれか記載の弓の練習具
７）  握り棒の前面の上下位置それぞれに線材のループ又は係止金具の係止部材を固着し、同係止部材に上下各弾性弓紐の一端を脱着自在に係止し、更に各弾性弓紐の他端を弦の輪と脱着自在に係止した、前記６）記載の弓の練習具
８）  握り棒の親指の付け根が当る後面で係止紐の握り棒から離れ出た上方位置より更に高い上方位置に細長の鏡を設けた、前記１）〜７）いずれか記載の弓の練習具
にある。
【考案の効果】
【００１２】
本考案によれば、矢束の長さは握り棒の前面と後面との厚みと、握り棒の後面位置から外に出されて三角形状に引張された係止紐の中間位置の水平方向の長さと、これに一端を取り付けた矢束設定紐の引張状態における両端の長さと、同矢束設定紐の他端に取り付けた弦の輪の引張した状態の水平長さとを加算した合計長が矢束の長さＬとなる（図６参照）。従って、練習者の適切な矢束が分れば上記の矢束設定紐の長さを調整して、上記合計長がその人の適切な矢束となるようにすればよい。この矢束設定紐は非伸縮性であるので、合計長は一定で最大限の水平方向の引張状態となるので、これ以上引張できない限界の位置が矢束の位置となるので、矢束の長さ（位置）を確実に知ることができる。
そして、この矢束の位置での弓力発生用弾性体のその自然長からの伸長の長さに応じた弾性力（復元力）が弓力となるので、弓力の調整は弾性体の自然長と矢束設定紐の最大長さとの差の長さ（伸長した長さ）と、弾性体の弾性係数によって決定できる。
よって、矢束で発生させる弓力の大きさも正式の弓の矢束での弓力となるように、上記差の長さと弾性係数とを調整すれば可能となる。
よって、本考案では矢束の位置は矢束設定紐の長さで決定でき、これ以上の引張ができなくなることで感知できるものとなる。そして、その矢束での弓力も所定の引張力となるようにできる。よって、実際に使用する弓と同じ様な正確な練習を可能とする。
【００１３】
尚、図４に示すように弓を使用する人の適切な矢束の長さＬは、その人の喉仏から水平に左の腕と手を伸長させ喉仏からその腕手の手の先までの距離の長さとされている。又、図４（ｂ）に示すように矢はその矢束の長さに５０〜６０ｍｍを加えた長さのものを一般に使用するのが安全でよいとされている。
従って、上記本考案での矢束設定紐の調整は、矢束の長さに５０〜６０ｍｍ加えた矢を使って、図６の如くその矢１１の筈１１ｂを弦の輪６にかけて、握り棒１の前面から矢の先端が５０〜６０ｍｍ出るように矢束設定紐３の引張長さを調整（紐交換又は長さ調整器３ａによる調整）することで容易に行える。
【００１４】
更に、本考案によれば、矢束設定紐の両端それぞれが脱着自在に取り付けられるものとすれば、矢束設定紐の引張したときの両端の水平長さを所定の長さの矢束設定紐のものに脱着によって容易に交換できる。よって、人の適切な矢束を矢束設定紐の交換によって、容易に可能とできる。これは、別の人の弓の練習具として使用する場合でもその別の人の適切な矢束に調整でき、本考案の練習具一台で他人の弓の練習具として使用できるものとなる。
【００１５】
矢束設定紐の中間で引張水平長さを変更できる長さ調整器を設けた場合でも、その長さ調整器の調整で引張水平長さを変えれば、上記同様に適切な矢束に容易に調整でき、その人に適した矢束に矢束調整が容易にできる。又、引きすぎ防止と伸び離れの目安を兼ねた吸着力が３〜４ｋｇあるマグネット又は吸着テープ（面ファスナー等）で構成した引きすぎ防止装置３ｆも設置した。
【００１６】
弓そのものを選定する場合、自己に合った弓力の目安として弓二張の肩入れが出来る限度の１／２が自己の適当な弓力とされているが、正確には自己の矢束における弓力の値は、図５に示すように実際の弓の弦をバネ計り器１３でもって矢束の位置まで右方向に引張させる。矢束の位置か否かは、その弓１０に使用する適切な矢１１の先端が５０〜６０ｍｍ程弓の前方に突出しているか否かで分る。この矢束位置でのバネ計り器１３で計測された力の値をもってその弓の自己にとっての適切な弓力となる。
【００１７】
次に、本考案の練習具での矢束の弓力の決定も、図７（ｂ）の矢束の長さＬまでバネ計り器１３を使って右方向に引張し、その矢束位置でのバネ計り器１３の引張力が実際の弓の（矢束での）弓力の値と一致するように所定の長さ又は弾性係数の中央弾性体４を選択する。図２，９に示すように弓力発生用弾性体がその両端において、係止紐の中間と弦の輪とに脱着自在に取り付ける中央弾性体であれば、弾性体の長さ又は弾性係数を異にする弾性体（図９中のＡ，Ｂ，Ｃ，Ｄのもの）に容易に交換でき、矢束での弓力の調整・変更が容易となる。
【００１８】
更に、弓力発生用弾性体として弾性弓紐を握り棒に取り付ける本考案の場合は、弓力が弓力発生用弾性体の中央弾性体の復元力と弾性弓紐の復元力の合計値となるように、弓力発生用弾性体（中央弾性体，弾性弓紐）の長さ又は弾性係数が違うものと交換すればよい。
上記適切な弓力発生用弾性体が決定されると、これらの練習具の係止紐・弦の輪との取り付け方法は脱着自在でもよいし、又は一端又は両端を固着する方式でもよい。前者の脱着方式が前記弓力調整作業を容易とする他に、別の弓又は別の人での使用あるいは弾性体の劣化・消耗による交換も容易であるので好ましい。
【００１９】
本考案で弓力発生用弾性体として中央弾性体と弾性弓紐を取り付けたものでは、実際の弓が撓む力の感覚が弾性弓紐で与えられる。この事は、弾性係数の異なる複数の弾性体を組み合せることによって、より実際の弓の使用状態を感じることができるようになるということでもある。加えて、この弾性弓紐が仮想の矢を射った後、握り棒の前面に廻り込んで左手首に当ることで、正しい射法になっているかを確認できるものとなる。又、この弾性体の組み合せとは逆に、低い弾性係数の中央弾性体と高い弾性係数の弾性弓紐の組み合せも同様の効果があり、本考案に含まれる。
【００２０】
握り棒の上方に細長の鏡を設けたものでは、矢が的に正確に射るため、矢が正しく的の中心線上に向いていなければならないが、鏡の存在によって右目の鏡面上の位置でもってそれを可能にでき、的を正確に当てる練習を可能とする。
【図面の簡単な説明】
【００２１】
【図１】図１は実施例の弛緩状態を示す説明図である。
【図２】図２は実施例の矢束設定紐・弓力発生用弾性体及び弾性弓紐の脱着自在な取付けを示す拡大説明図である。
【図３】図３は実施例の握り棒の前面側を示す斜視図である。
【図４】図４は矢束長さの決める方法を示す説明図である。
【図５】図５は実施例の弓力を決める方法を示す説明図である。
【図６】図６は実施例における矢束設定紐による矢束長さ調整方法を示す説明図である。
【図７】図７は実施例の軽い引張状態と矢束まで伸ばした状態を示す説明図である。
【図８】図８は実施例の弾性力による復元力を示す説明図である。
【図９】図９は実施例の長さを異なる弾性体の交換を示す説明図である。
【図１０】図１０はゆがけによる矢の係止を示す説明図である。
【図１１】図１１は実施例の使用状態を示す説明図である。
【図１２】図１２は実施例の会の状態を示す説明図である。
【図１３】図１３は実施例の鏡による眼の位置の説明図である。
【図１４】図１４は実施例の練習具を用いての使用手順を示す説明図である。
【図１５】図１５は弓の射法の動作を示す説明図である。
【図１６】図１６は本考案の中央弾性体のみの他の実施例を示す説明図である。
【図１７】図１７は本考案の弾性弓紐のみの他の実施例を示す説明図である。
【考案を実施するための形態】
【００２２】
本考案の握り棒の寸法は、正式の弓の握り部分の厚みと巾に近いものがよく、長さは左手で握って上下方向にそれぞれ３０ｍｍ以上の長さの余裕があるものがよく、縦の全長は１５０ｍｍ以上のものが好ましい。
【００２３】
握り棒の素材は、竹板を重ねたもの、細巾の木板を重ねたもの、プラスチック製のものでもよい。プラスチック製では内部を中空にすることもできる。厚みは手で握る裏面部分に２０ｍｍ以上の厚みを与えるのがよい。
更に、握り棒の握り部の上・下部分に矢摺籐を巻いて、正式の弓の握り部に近いデザインにすることが好ましい。
【００２４】
本考案の弓力発生用弾性体の中央弾性体としては、３００ｍｍ前後の長さで、外径８ｍｍ程のゴムチューブの使用が一般的である。そして、弾性体が矢束の位置まで引張された時のその復元の弾性力は弓力となり、成人男性の場合は１５ｋｇｆ程の力を発生させるのが多い。
【００２５】
弓力発生用弾性体及び矢束設定紐とを、係止紐の中間・握り棒及び弦の輪とに対し脱着自在に取り付ける構造としては、一方にリング又は線材の輪を固着し、他方に同リング・輪に係止できるフック止め金具を取り付ける小型の連結金物が使用できる。他の脱着自在の機構でもよい。尚、連結金物の外側には図２中の二点鎖線で示すように、保護チューブを取り付けることが手指に傷を与えないことが好ましい。
本考案には、上記弾性体、矢束設定紐とを、係止紐・弦の輪又は握り棒とを脱着自在としない固着で取り付けるものも含まれる。
又、本考案では握り棒の前面の上下位置に係止された上下一対の弾性弓紐を設ける場合と設けない場合がある。そして、弾性弓紐を設ける場合は、握り棒の前面側と弦の輪との間で両端とも固着（非脱着自在）のケースと、他端の弦の輪とに対して脱着自在とし、一端は握り棒前面から出るように握り棒側と固着（非脱着的に取付）するケースと、弾性弓紐の一端・他端の両端とも握り棒側及び弦の輪とに対し脱着自在にするケースがある。
握り棒と脱着自在にするケースの場合は、一本のワイヤ・紐等の線材を折り返して両端を結着して二重線材のループにして、握り棒の前面の上下位置の穴から前面に飛び出させるようにし、その飛び出された部分に輪を形成させ、この輪を掛止輪にして、弾性弓紐の一端に取付けたフック付止金具を掛止して脱着自在とする方法、又は掛止輪に代えて金属製リングを取付けて、これをフック付止金具で掛止して脱着自在にする方法がある。ワイヤ・強い引張力に耐える弦・紐の線材の掛止輪を設ける方が手・握り棒を傷つけないので好ましい。
【００２６】
又、握り棒の下端には重りを吊り下げた形式の垂直器を取り付ければ、握り棒が垂直になっているか及び握り棒の射った時の振れの程度が分って好ましい。
【実施例】
【００２７】
以下、本考案の実施例について図面に基づいて説明する。
【００２８】
実施例は、握り棒１は２５ｍｍ（２０ｍｍ）×１５ｍｍの断面台形状の１７３ｍｍ縦長のプラスチック製の筒体１ａの台形の狭い巾の上面の中央部に４ｍｍ厚み程のゴム板材（図示せず）を接着して握り棒１の後面側を肉厚にして張り出し、この筒体１ａとゴム板材の全周をプラスチックシート１ｃで被覆している。更に、同中央部の表面に握り皮１ｄを接着して握り易くしている。
【００２９】
この握り棒１の後面となる張り出した握り皮１ｄの上部と下部に穴１ｅを設け、同穴から２２０ｍｍの長さ程の係止紐２が外に出され、その係止紐２の終端は筒体１ａの内部で互に結着２ａされている。又、この係止紐２の離れ出た部分の２２０ｍｍの紐の中間に、リング２ｂが止めワイヤ２ｃによって固着されている。図１，２，７に示すように、リング２ｂを水平に引張したとき係止紐２はリング２ｂと上下の穴１ｅとを結ぶ三角形状に張り、そのリング２ｂの紐結着点から握り棒１の後面との間隔（水平方向長さ）は９５ｍｍ程である。更に、上記穴１ｅは筒体１ａの縦中央線からやや右側に寄った入木位置にある。
【００３０】
この係止紐２のある面の筒体１ａの穴１ｅの上方位置に１２ｍｍ×５０ｍｍの細長の鏡７が付着されている。
【００３１】
矢束設定紐３は伸縮しない紐であり、図１，６に示すように中間の紐に長さ調整器３ａと引きすぎ防止装置３ｆを設けている。調整器は紐の中間部分をＵ字状にループにし、そのループ首端を二本の紐を結束する小さな加圧筒３ｂと止ピン３ｃとで結束して、紐の引張した状態の紐左右端の長さを５３０ｍｍとするように調整している。又、引きすぎ防止装置３ｆは伸び離れの目安を兼ねていて吸着力が３〜４ｋｇあるマグネット又は吸着テープ（面ファスナー等）で構成した装置を取付けている。
この矢束設定紐３の両端それぞれには、５０ｍｍ程の長さのフック付止金具３ｄ，３ｅを設けている。このフック付止金具３ｄは係止紐２のリング２ｂと脱着自在に取り付けられている。又、他方のフック付止金具３ｅは弦の輪６のリング６ａと脱着自在に取り付けられている。
【００３２】
弓力発生用弾性体の中央弾性体４はその外力と伸びの比の弾性係数が２０ｍｍ／ｋｇｆ程であるゴムチューブであり、その自然長は３００ｍｍ程であり、その両端にはゴムチューブ端に止着したリング（図示せず）に係止された５０ｍｍ長さ程のフック付止金具４ｂが設けられている。
【００３３】
又、図３に示すように握り棒１の筒体１ａの前面１ｇの最上端と最下端から１３ｍｍの内側位置に穴１ｈ，１ｉを設けている。高い引張強度がある細いワイヤ９（線材）をその両端で互に結着したループとし、そのループを上記穴１ｈ，１ｉを介して筒体１ａを通し、ループの先端の輪部分を穴１ｈ，１ｉから外に３０ｍｍ程突出させ、突出した輪部分の根元部分に輪部分が穴１ｈ，１ｉから筒体１ａ内に戻されないようにストッパ（図示せず）に取付けて、ワイヤ９を筒体１ａに固定している。そして、この突出した輪部分を掛止輪９ａとしている。弾性ある弾性弓紐５の一端の５０ｍｍ長さのフック付止金具５ａをこの掛止輪９ａに掛ける。弾性弓紐５の他端も同じ５０ｍｍ程のフック付止金具５ａを取付けていて、これを弦の輪６のリング６ａに掛けている。この上下一対の弾性弓紐５は、握り棒１側及び弦の輪６側と脱着自在に取付けられている。握り棒１の前面１ｇからフック付止金具５ａ先端までの水平引張長さは３００ｍｍ程である。又、この弾性弓紐５の外力に対する伸びの比の弾性係数を２００〜２５０ｍｍ／ｋｇｆ程の伸び易いゴム紐としている。
【００３４】
尚、中央弾性体４と弾性弓紐５の弾性係数について実施例とは反対に中央弾性体４を伸び易い大きな値に、弾性弓紐５の方を伸び難い小さな値にすることもでき、いずれも矢束の位置で中央弾性体４の復元力と弾性弓紐５の復元力との合計が弓力となるようにできればよい。例えば、実施例の弾性弓紐と中央弾性体の弾性係数の大小を逆にして、弾性弓紐５の弾性係数は６４ｍｍ／ｋｇｆに、そして中央弾性体４の弾性係数を２００〜２５０ｍｍ／ｋｇｆのものにすることもできる。この場合、弓力は弾性弓紐を２本使用するので強い方への弓力調整が容易となる。
【００３５】
又、弓の弦と同じ線材で２６０ｍｍ程の長さ（水平方向長さで１３０ｍｍ）の弦の輪６を設けている。この弦の輪６の一端にリング６ａを取り付けている。このリング６ａに矢束設定紐３のフック付止金具３ｅ，弾性体４のフック付止金具４ｂ，弾性弓紐５のフック付止金具５ａが掛けられている。
【００３６】
以下、本実施例の練習具を用いての、練習法を説明する。
【００３７】
（矢束の長さ）
矢束の長さＬは、標準的には図４（ａ），（ｂ）に示すように練習者の喉仏から水平左方向に左の腕と手を伸ばした状態において、喉仏から手の指先までの長さＬとされている。又、矢の長さは安全の為この矢束の長さＬに５０〜６０ｍｍ程加えた長さとするのが多い。従って、矢束の長さＬは大人か小人か、男女差あるいは個人差があって、練習者によって最適の長さに決定される。図４（ｂ），図５は実際に使用する弓１０と弦１０ａと矢１１における矢束の長さＬの関係を示している。
【００３８】
（矢束設定紐の調整）
中央弾性体４及び弾性弓紐５を取り付けない状態の図６に示す握り棒１・係止紐２・矢束設定紐３・弦の輪６の構成において、図４（ａ），（ｂ）の方法で決めた適正な矢の長さの矢１１の筈を弦の輪６へ番えて矢束設定紐３を伸長させ、矢１１の矢尻（矢の先）を５０〜６０ｍｍ握り棒１の前面から出た位置で調整器３ａで紐長さを固定し、適正な矢束長さＬとする。例えば、その練習者の矢束長さＬは８９０ｍｍであったとする。
これを寸法的に確認すると、握り棒１の前面からの厚み１５ｍｍと係止紐２の水平方向の長さ９５ｍｍと弦の輪６の水平方向長さ１３０ｍｍと矢束設定紐３のフック付止金具３ｄ，３ｅの長さ５０ｍｍ×２とその連結リング２ｂ，６ａの長さ１０ｍｍ×２の合計寸法３６０ｍｍであるので、矢束設定紐の水平長さは５３０ｍｍに調整され、総合計長さ寸法３６０ｍｍ＋５３０ｍｍ＝８９０ｍｍとした事が確認される。
【００３９】
次に、練習具の図１に示す何も引張しない弛緩状態では、握り棒１から弦の輪６終端までの長さｌは２００〜２５０ｍｍ程である。これは射法の動作の図１５（ａ）の打起し時の両拳の間隔でもある。
【００４０】
次に、図７（ａ）は弾性弓紐５のみ引張させ、中央弾性体４が未だ引張されない自然長３００ｍｍ程の状態で、握り棒１から弦の輪６終端までの長さ６６０ｍｍ程である。これは射法の動作「大三」時の両拳の間隔でもある（図１５（ｂ）参照）。
図７（ｂ）は射法の動作「大三」から中央弾性体４を使った本格的な射法の動作「引分け」に入り、矢束設定紐３の限度長さ「適正な矢束長」Ｌを引張した素引（矢を番えない）図である。
【００４１】
（弓力の調整）
次に、中央弾性体４の長さの設定は、まず図５に示すように実際使用する弓１０に矢１１をかけた状態で矢束長さまでバネ計り器１３で引張し、その矢束位置での計測される弓力（バネ計り器に示される力）の値でもって矢束での弓力とする。その計測器の弓力は、例えば１５ｋｇｆであったとする。
【００４２】
次に実施例の練習具Ｇの矢束設定紐３が一直線に張られた状態になるまで伸長し、その矢束設定紐３で拘束された位置が矢束位置となる。その時の弦の輪６に働く復元力を上記同様バネ計り器１３でもって計測し、これでもってその計測値が上記実際の弓１０での弓力の力１５ｋｇｆと同じ値となるようにする。練習具Ｇでの上記の矢束での計測値は図８に示すように、中央弾性体４と弾性弓紐５の復元力の合計となるが、その大部分が中央弾性体４の復元力によっている。
よって、練習具Ｇでの上記の矢束Ｌでの弓力の計測値が上記の実際の弓の弓力と同じ値となるように、中央弾性体４の長さや弾性係数を変えたり、又中央弾性体４と弾性弓紐５の入替えを行い弓力を倍増させ（弾性弓紐５を二本使用するため）、後に微調整として中央弾性体４の長さや弾性係数を変えて調整を行う。
【００４３】
以上の様に練習具Ｇでの矢束・弓力を調整した後、場所を選ばず手軽に素引練習（図７（ａ），（ｂ）に示すような矢を使わない練習）をすることができる。
【００４４】
練習具Ｇで素引練習を図１４をもって以下に説明する。
図１１に示すように、まず弾性弓紐５は握り棒１を上方から見て時計方向に握り棒１の右側に廻して、フック付止金具５ａを介して弦の輪６のリング６ａに係止していることを確認する。次に、左手で握り棒１を握り、右手はゆがけ１２を着け、親指を弦の輪６に挿入し、ゆがけ親指も同時に弦枕へ弦の輪６を引掛ける（図１０参照）。次に、再度係止紐２の間に挿入した左手の握り方を角見が効く手の内へ整え直し（手の内を整える）、弓道の姿勢「弓構え」の姿勢（図示せず）をとる。尚、図１０，１１，１２，１６の矢１１は素引練習では使用しないので、仮想上の矢である。
【００４５】
次に、両拳の間隔２００〜３００ｍｍの弓構えの間隔のまま両拳を頭上に持ち上げ、射法の動作「打起し」を行い（図１４（ａ），図１５（ａ）参照）、次に右手は額の前、左手は顔斜前に移動し、射法の動作「大三」（図１４（ｂ），図１５（ｂ）参照）を取る。その時の両拳の間隔は５５０〜６６０ｍｍとなる。
【００４６】
その後、脊柱を中心に左右均等に引分け、左手拳は的の中心に向って押し、図１２に示すように右手は右肩先まで矢束いっぱいに引き、頬付（矢が頬に付く）・口割り（口の線より下に下がらぬ位置）にて引おさめる。この時、自己の適正な矢束に達したか否かが矢束設定紐３が限度長さになったことを知らせてくれる。その後、気力を充実させながら、射法の動作「会」に入る（図１４（ｃ），図１５（ｃ）参照）。
【００４７】
次に、この会において、仮想の矢１１は正しく的の中心線上に向いていなければならない。狙いは、両眼共に開き、左拳と弓の左側と的の中心点を右目を効き目として（両眼共開いているが）、見通して定めなければならない。
図１３に示すように、両眼均等に見た的の位置（ａ）の状態から両眼を開けたまま、（ｂ）の的の位置へ効き目を右目にもっていくだけで移動させる。
この修練の為、今回の弓道の練習具Ｇは矢摺籐の位置へ右目のみ写せる（ｃ）の状態の大きさの鏡７を設け、右目を効き目にする修練と同時に右目の半分を割了（写す）（ｄ）半月の狙いの修練が出来るようにした。図１３（ｃ），（ｄ）参照。
これによって、矢と的が一直線にする射法の物見の練習が行える。
【００４８】
この会の状態で弾性弓紐５は弓返り力として作用する。
【００４９】
この会の状態で精神を集中してゆがけの弦枕を解放すると、射法の「離れ」の動作に相当する（図１４（ｄ），図１５（ｄ）参照）。
【００５０】
離れの後、矢束設定紐３，中央弾性体４，弾性弓紐５，弦の輪６は握り棒１を上方から見て反時計まわりに回転するように戻り、左手首へ巻き付く。この一連の動作で弾性弓紐５の弓返り力、左手「手の内」の角見の効き、ゆがけ弦枕からの弦の離れ具合の様子で正しく射られたかが判断できる。
【００５１】
以上の様に、実施例では矢束Ｌの確認、弓力の再現ができ、又矢を的に対する正しい姿勢を鏡７によって確認でき、実際の弓による矢の射法を正確に練習できるものとして使える。
【００５２】
図１６に示す練習具は、上記実施例において弾性弓紐５を省略した簡易型の実施例である。これによっても、矢束の確認、弓力の再現を可能としている。弾性弓紐５のないこの実施例では、弾性弓紐５を除いて、中央弾性体４の復元力のみを弓力とする。他は前記実施例と同様な構造と作用効果を得ることができる。又、その逆で図１７に示すように中央弾性体４を省略して、上下二本の弾性弓紐５の使用でもよい。
【産業上の利用可能性】
【００５３】
本考案は、和弓の弓道による射法の練習具としたが、この練習具自体で矢を射るスポーツの道具とすることも可能である。
【符号の説明】
【００５４】
Ｇ    実施例の弓の練習具
１    握り棒
１ａ    筒体
１ｃ    プラスチックシート
１ｄ    握り皮
１ｅ    穴
１ｆ    後面
１ｇ    前面
１ｈ，１ｉ    穴
２    係止紐
２ａ    結着
２ｂ    リング
２ｃ    止めワイヤ
３    矢束設定紐
３ａ    長さ調整器
３ｂ    加圧筒
３ｃ    止ピン
３ｄ，３ｅ    フック付止金具
３ｆ    引きすぎ防止装置
４    中央弾性体
４ａ    リング
４ｂ    フック付止金具
５    弾性弓紐
５ａ    フック付止金具
６    弦の輪
６ａ    リング
７    鏡
８    重錘
９    ワイヤ（線材）
９ａ    掛止輪
１０    弓
１０ａ    弓の弦
１１    矢又は仮想の矢
１１ａ    羽根
１１ｂ    筈
１２    ゆがけ
１３    バネ計り器
【図１】
0003189450.tif 000003
【図２】
0003189450.tif 000004
【図３】
0003189450.tif 000005
【図４】
0003189450.tif 000006
【図５】
0003189450.tif 000007
【図６】
0003189450.tif 000008
【図７】
0003189450.tif 000009
【図８】
0003189450.tif 000010
【図９】
0003189450.tif 000011
【図１０】
0003189450.tif 000012
【図１１】
0003189450.tif 000013
【図１２】
0003189450.tif 000014
【図１３】
0003189450.tif 000015
【図１４】
0003189450.tif 000016
【図１５】
0003189450.tif 000017
【図１６】
0003189450.tif 000018
【図１７】
0003189450.tif 000019
【手続補正書】
【提出日】平成26年1月27日(2014.1.27)
【手続補正１】
【補正対象書類名】明細書
【補正対象項目名】００１５
【補正方法】変更
【補正の内容】
【００１５】
矢束設定紐の中間で引張水平長さを変更できる長さ調整器を設けた場合でも、その長さ調整器の調整で引張水平長さを変えれば、上記同様に適切な矢束に容易に調整でき、その人に適した矢束に矢束調整が容易にできる。又、引きすぎ防止と伸び離れの目安を兼ねた吸着力が３〜４ｋｇあるマグネット又は吸着テープ（面ファスナー等）で構成した引きすぎ防止装置３ｆも設置した。前述の「伸び離れの目安を兼ねた」とは弓道において会の静止状態から離れに至る時に限り、引きすぎ防止装置の吸着部の「引き剥がし」は良射の目安となるもので「内なる伸び合い」の結果である。すなわち一本の紐を口割の高さで水平に左右均等に引っ張り合いその紐の中央を鋏で切った時、胸の中筋から左右に伸び合う感触を吸着部の「着脱」に兼ねさせたものである。